(57)【要約】【課題】  商品が顧客へ引き渡されるまでに何らかの記録をし（たとえば抜き取り検査や店頭展示等をし）、最初のインクフィルムを装着しても、わずか表示が最適に行なわれ、また、インクフィルム残量を正確に検出することができるファクシミリ装置を提供することを目的とするものである。【解決手段】  工場出荷フラグが立っている場合、インク消費量計測手段が計測したインク消費量が、所定の第１の閾値を超えていれば、インクがわずかであることを通知し、一方、工場出荷フラグが立っていない場合、インク消費量計測手段が計測したインク消費量が、所定の第２の閾値を超えていれば、インクがわずかであることを通知し、インク消費量クリア手段がインク消費量をクリアするときに、わずか通知済みフラグが立っていれば、工場出荷フラグを落とすファクシミリ装置である。【選択図】  図１
2005125528.tif 000002
【特許請求の範囲】
【請求項１】
加入者回線に接続され、インク交換機能を持ち、受信画像を印刷する印刷手段と；
上記印刷手段が印刷する際におけるインク消費量を計測するインク消費量計測手段と；
工場出荷時にセットする工場出荷フラグと；
インク残量が、所定量よりも少なくなったことを通知する残量わずか通知手段と；
上記インク消費量計測手段が計測し、記憶しているインク消費量を、０にクリアするインク消費量クリア手段と；
上記残量わずか通知手段が、インク残量がわずかであることを通知したときに立てるわずか通知済みフラグと；
を有し、上記わずか通知手段は、上記工場出荷フラグが立っている場合、上記インク消費量計測手段が計測したインク消費量が、所定の第１の閾値を超えていれば、インクがわずかであることを通知し、一方、上記工場出荷フラグが立っていない場合、上記インク消費量計測手段が計測したインク消費量が、所定の第２の閾値を超えていれば、インクがわずかであることを通知し、上記インク消費量クリア手段がインク消費量をクリアするときに、上記わずか通知済みフラグが立っていれば、上記工場出荷フラグを落とすことを特徴とするファクシミリ装置。
【請求項２】
請求項１において、
上記印刷手段は、熱転写式の印刷手段であり、
上記インクは、インクフィルムであり、
上記インク消費量計測手段は、インクフィルムを駆動するモータのステップ数に基づいて、インク消費量を計測する手段であることを特徴とするファクシミリ装置。
【発明の詳細な説明】
【技術分野】
【０００１】
本発明は、加入者回線に接続され、受信した画像を、インクを用いて印刷し、インク残量が少なくなったときに、インク残量わずか通知をするファクシミリ装置に係り、特に、交換用インクの容量よりも少ない容量のインクが、出荷時に同梱されるファクシミリ装置に関する。
【背景技術】
【０００２】
インクフィルムを用いる印刷方式において、インクの容量は、インクフィルムの長さにほぼ比例するので、インクフィルムを使用した長さとインクフィルムの全長とに基づいて、インク残量を検出することができる。
【０００３】
従来、インクの残量検出方法として、モータの回転数を計測することによって、インクフィルムの長さを検出し、この検出されたフィルムの長さに基づいて、インクの残量を検出し、一方、インクフィルム交換時に、「新規／継続」を選択する画面を表示し、「新規」を選択すれば、インク消費量を０にリセットし、交換用インクの容量よりも少し少ない値を閾値とし、インク消費量が上記閾値を越えたときに、残量がわずかであることを示す「わずか表示」を行う。
【０００４】
また、工場出荷時には、交換用インクの容量から、同梱インクの容量を引いた値を、インク消費量として設定し、最初に記録をするまでは、インクフィルムを装着しても「新規／継続」の選択画面を表示しないファクシミリ装置がある。
【０００５】
また、インクフィルムではなく、ロール紙の残量表示用の技術として、一定の搬送速度におけるロール紙の軸の回転角速度を計測することによって、ロール紙残量を計測するファクシミリ装置が知られている（たとえば、特許文献１参照）。
【特許文献１】特開２０００−１５９４０５号公報
【発明の開示】
【発明が解決しようとする課題】
【０００６】
しかし、上記従来例の前者において、商品が顧客へ引き渡されるまでに、何らかの記録をすると（たとえば抜き取り検査や店頭展示等をすると）、最初のインクフィルムを装着するときに「新規／継続」選択画面が表示され、「新規」を選択すると、交換インクが装着されていないのに、交換インク長さにセットされるという問題がある。
【０００７】
また、上記従来例の後者において、ロール紙では紙の厚みがあり、半径の変動が大きいが、インクフィルムの場合には、フィルムの厚さが薄いので、インクフィルムを使用しても、その半径がそれ程変わらず、インクフィルム残量を正確に検出することができないという問題がある。
【０００８】
本発明は、商品が顧客へ引き渡されるまでに何らかの記録をし（たとえば抜き取り検査や店頭展示等をし）、最初のインクフィルムを装着しても、わずか表示が最適に行なわれ、また、インクフィルム残量を正確に検出することができるファクシミリ装置を提供することを目的とするものである。
【課題を解決するための手段】
【０００９】
本発明は、加入者回線に接続され、インク交換機能を持ち、受信画像を印刷する印刷手段と、上記印刷手段が印刷する際におけるインク消費量を計測するインク消費量計測手段と、工場出荷時にセットする工場出荷フラグと、インク残量が、所定量よりも少なくなったことを通知する残量わずか通知手段と、上記インク消費量計測手段が計測し、記憶しているインク消費量を、０にクリアするインク消費量クリア手段と、上記残量わずか通知手段が、インク残量がわずかであることを通知したときに立てるわずか通知済みフラグとを有し、上記わずか通知手段は、上記工場出荷フラグが立っている場合、上記インク消費量計測手段が計測したインク消費量が、所定の第１の閾値を超えていれば、インクがわずかであることを通知し、一方、上記工場出荷フラグが立っていない場合、上記インク消費量計測手段が計測したインク消費量が、所定の第２の閾値を超えていれば、インクがわずかであることを通知し、上記インク消費量クリア手段がインク消費量をクリアするときに、上記わずか通知済みフラグが立っていれば、上記工場出荷フラグを落とすファクシミリ装置である。
【発明の効果】
【００１０】
本発明によれば、商品が顧客へ引き渡されるまでに何らかの記録をし（たとえば抜き取り検査や店頭展示等をし）、最初のインクフィルムを装着しても、わずか表示が最適に行なわれるという効果を奏し、また、インクフィルム残量を正確に検出することができるという効果を奏する。
【発明を実施するための最良の形態】
【００１１】
発明を実施するための最良の形態は、以下の実施例である。
【実施例１】
【００１２】
図１は、本発明の実施例１であるファクシミリ装置１００の構成を示すブロック図である。
【００１３】
ファクシミリ装置１００は、ＮＣＵ１０２と、Ｄ−ＲＡＭ１０３と、Ｆｌａｓｈ−ＲＡＭ１０４と、制御部１０５と、操作部１０６と、表示部１０７と、モデム１０８と、スピーカ１０９と、プリンタ部１１０と、読取部１１１とを有する。
【００１４】
通信回線１０１は、これを介して、相手端末と通信する。
【００１５】
ＮＣＵ１０２は、ファクシミリ装置１００を通信回線１０１に接続するためのＮＣＵであり、通信回線１０１側とファクシミリ装置１００の内部との電気的絶縁、制御部１０５の指示による回線の捕捉、解放、ダイヤルパルス、トーンの送出、回線の監視等を行う。
【００１６】
Ｄ−ＲＡＭ１０３は、発呼電話番号、キャリア別料金データ、画像データ、制御データ等を記憶する。
【００１７】
Ｆｌａｓｈ−ＲＡＭ１０４は、制御部１０５の制御プログラム、各種設定の初期値を記憶する。
【００１８】
制御部１０５は、Ｆｌａｓｈ−ＲＡＭ１０４に記述されているプログラムに従って、各機能ブロックを制御する。
【００１９】
操作部１０６は、送・受信、発・着呼等のオペレータの操作を受け付け、制御部１０５へオペレータの操作を通知する。
【００２０】
表示部１０７は、発呼時のダイヤル、装置の状態等、オペレータに伝えたい情報を表示する。
【００２１】
モデム１０８は、送信の場合は、送信信号を変調し、受信の場合は、通信回線１０１から受信した信号を復調し、また、トーナル信号、ＤＴＭＦ信号等の検出・合成も行う。スピーカ１０９は、回線のモニタ、オペレータの呼び出し、操作音、エラー音を鳴らす。
【００２２】
プリンタ部１１０は、受信画像、各種レポート等を出力する。
【００２３】
読取部１１１は、原稿を読み取り、Ｄ−ＲＡＭ１０３に蓄積する。
【００２４】
図２は、ファクシミリ装置１００の表示部１０７における表示例を示す図である。
【００２５】
装着されているインクフィルムが、新品であるか、継続して使用されているものであるかをオペレータに質問する表示である。この表示は、後で説明するように、電源投入時、操作パネルを閉じたときに、表示される。
【００２６】
図３は、ファクシミリ装置１００の表示部１０７の表示例を示す図であり、装着されているインクフィルムの残量が少なくなった時に、インクフィルム残量がわずかしかないことをオペレータに通知する「わずか表示」の例を示す図である。
【００２７】
図４は、ファクシミリ装置１００におけるＦｌａｓｈ−ＲＡＭ１０４の内容例、Ｄ−ＲＡＭ１０３の内部に配置されている変数の内容例を示す図である。
【００２８】
ここで、フラグＩｎｋ＿ｃｈｅｃｋ＿ｒｅｑ４０１は、スタンバイ状態において、図２に示す画面を表示させるかどうかを判断するためのフラグである。
【００２９】
変数Ｓｔｅｐ＿ｃｏｕｎｔｅｒ４０２は、インクフィルムを駆動したトータルのモータのステップ数を保存する変数である。
【００３０】
ステータス情報Ｆｉｒｓｔ＿ｉｎｋ＿ｍｏｄｅ４０３は、工場出荷時にＳＴＡＲＴがセットされ、わずか表示をしたときに、ＤＩＳＰがセットされ、ＤＩＳＰがセットされているときに、オペレータが「新規」を選択し、変数Ｓｔｅｐ＿ｃｏｕｎｔｅｒ４０２をクリアした際に、ＥＮＤがセットされるステータス情報Ｆｉｒｓｔ＿ｉｎｋ＿ｍｏｄｅ４０３である。
【００３１】
変数Ｔｅｍｐ＿ｓｔｅｐ＿ｃｏｕｎｔｅｒ４０４は、記録動作中に、そのページにおけるインクフィルム駆動ステップ数を記憶する変数である。
【００３２】
記録中は、書き込み速度の速いＤ−ＲＡＭである。この変数Ｔｅｍｐ＿ｓｔｅｐ＿ｃｏｕｎｔｅｒ４０４へステップ数を記憶し、１ページ記録終了毎に、この変数Ｔｅｍｐ＿ｓｔｅｐ＿ｃｏｕｎｔｅｒ４０４に記憶した値を、上記変数Ｓｔｅｐ＿ｃｏｕｎｔｅｒ４０２に加えて、変数Ｔｅｍｐ＿ｓｔｅｐ＿ｃｏｕｎｔｅｒ４０４を、０にクリアする。これによって、記録中は、Ｄ−ＲＡＭへ書き込むことで、速度の低下を抑え、１ページ記録毎に、Ｆｌａｓｈ−ＲＡＭへ書き込むことによって、電源を落としてもカウンタ値を保持することができる。
【００３３】
図５は、ファクシミリ装置１００において、電源ＯＮ時の処理を示すフローチャートである。
【００３４】
Ｓ１では、プリンタ部１１０にインクフィルムが存在しているかどうかを判定する。判定の結果、インクフィルムが存在していると判定すると、Ｓ２に進み、存在していないと判定すると、そのままスタンバイ状態に移行する。
【００３５】
Ｓ２では、フラグＩｎｋ＿ｃｈｅｃｋ＿ｒｅｑ４０１にＯＮを入れる。
【００３６】
これによって、電源投入時にインクフィルムが存在していれば、図２に示す画面を表示するためのフラグＩｎｋ＿ｃｈｅｃｋ＿ｒｅｑ４０１がＯＮになる。
【００３７】
図６は、ファクシミリ装置１００において、操作パネルを開閉したときの処理を示すフローチャートである。
【００３８】
オペレータが操作パネルを開けると、操作パネル開状態になる。このときに、Ｓ１１の動作を繰り返し実行する。
【００３９】
Ｓ１１では、操作パネルが閉じられたかどうかを判定する。閉じられたと判定した場合、Ｓ１２では、プリンタ部１１０にインクフィルムが存在しているかどうかを判定し、存在していると判定した場合、Ｓ１３へ進み、存在していないと判定した場合は、スタンバイ状態に移行する。
【００４０】
Ｓ１３では、フラグＩｎｋ＿ｃｈｅｃｋ＿ｒｅｑ４０１にＯＮを入れる。これによって、操作パネル閉時にインクフィルムが存在していれば、図２に示す画面（インクフィルムが新品か継続品かを問う画面）を表示するためのフラグＩｎｋ＿ｃｈｅｃｋ＿ｒｅｑ４０１がＯＮになる。
【００４１】
図７は、ファクシミリ装置１００において、１ページ毎の記録動作中の処理を示すフローチャートである。
【００４２】
Ｓ２１では、１ページの記録の開始に先立って、変数Ｔｅｍｐ＿ｓｔｅｐ＿ｃｏｕｎｔｅｒ４０４を、０にセットする。Ｓ２２では、インクフィルムを駆動するモータを、１ステップ回転駆動させ、Ｓ２３では、変数Ｔｅｍｐ＿ｓｔｅｐ＿ｃｏｕｎｔｅｒ４０４を１増やす。
【００４３】
Ｓ２４では、記録が終了したかどうかを判定し、記録が終了していなければ、Ｓ２２へ進み、記録が終了していれば、Ｓ２５へ進む。Ｓ２５では、変数Ｓｔｅｐ＿ｃｏｕｎｔｅｒ４０２に、変数Ｔｅｍｐ＿ｓｔｅｐ＿ｃｏｕｎｔｅｒ４０４を加える。
【００４４】
これによって、１ページの記録が終了する毎に、１ページ分のステップ数を変数Ｓｔｅｐ＿ｃｏｕｎｔｅｒ４０２に加えるので、変数Ｓｔｅｐ＿ｃｏｕｎｔｅｒ４０２には、トータルの印刷ステップ数が積算される。
【００４５】
図８は、ファクシミリ装置１００において、工場出荷設定の処理を示すフローチャートである。
【００４６】
Ｓ３１では、ステータス情報Ｆｉｒｓｔ＿ｉｎｋ＿ｍｏｄｅ４０３にＳＴＡＲＴをセットする。
【００４７】
図９は、ファクシミリ装置１００におけるスタンバイ状態の処理を示すフローチャートである。
【００４８】
Ｓ４１では、ステータス情報Ｆｉｒｓｔ＿ｉｎｋ＿ｍｏｄｅ４０３がＥＮＤではなく、かつ変数Ｓｔｅｐ＿ｃｏｕｎｔｅｒ４０２が閾値１よりも大きいかどうかを判定する。ここで、「閾値１」は、出荷時に同梱される短いインクフィルムに対応する閾値である。この条件が満たされている場合は、Ｓ４５へ進み、上記条件が満たされていない場合は、Ｓ４２へ進む。
【００４９】
Ｓ４２では、変数Ｓｔｅｐ＿ｃｏｕｎｔｅｒ４０２が閾値２よりも大きいかどうかを判定する。ここで、上記「閾値２」は、小売店で販売している長い交換用インクフィルムに対応する閾値である。変数Ｓｔｅｐ＿ｃｏｕｎｔｅｒ４０２が閾値２よりも大きい場合は、Ｓ４６へ進み、大きくない場合は、Ｓ４３へ進む。
【００５０】
Ｓ４５では、ステータス情報Ｆｉｒｓｔ＿ｉｎｋ＿ｍｏｄｅ４０３の値を、ＤＩＳＰにセットし、Ｓ４６へ進む。Ｓ４６では、表示部１０７に、図３に示す表示を行い、オペレータにインクフィルム残量がわずかであることを通知する。
【００５１】
Ｓ４３では、スタンバイ状態で、Ｓ４１、Ｓ４２、Ｓ４４のチェックを、適度な周期で実施するためのウェイトである。
【００５２】
Ｓ４４では、フラグＩｎｋ＿ｃｈｅｃｋ＿ｒｅｑ４０１がＯＮになっているかどうかを判定し、ＯＮになっている場合は、Ｓ４７へ進み、ＯＮになっていない場合は、Ｓ４１へ戻る。
【００５３】
Ｓ４７では、表示部１０７に、図２に示す表示を行い、オペレータにインクフィルムが新規であるか、継続して使用しているのかのどちらかを選択するように促す。
【００５４】
ここで、オペレータが継続を選択した場合は、Ｓ４８、Ｓ５８へ進み、オペレータがストップキーを押下した場合は、Ｓ４９、Ｓ５８へ進み、なにも操作がなされずにタイムアウトした場合は、Ｓ５０、Ｓ５８へ進む。
【００５５】
Ｓ５８では、フラグＩｎｋ＿ｃｈｅｃｋ＿ｒｅｑ４０１に、ＯＦＦをセットし、Ｓ４１へ戻る。Ｓ５１では、Ｓ４８、Ｓ４９、Ｓ５０、Ｓ５２、Ｓ５４でのチェックを、適度な周期で実施するためのウェイトである。
【００５６】
Ｓ５２では、ハンドセットがオフフックされたかどうかを判定する。オフフックされた場合は、Ｓ５３へ進み、オフフックされていない場合は、Ｓ５４へ進む。Ｓ５３では、通話やダイヤルなどの処理を行い、終了すると、Ｓ４７へ戻る。
【００５７】
Ｓ５４では、オペレータによって「新品」が選択されたかどうかを判定し、新品が選択された場合は、Ｓ５５へ進み、新品が選択されない場合は、Ｓ４７へ戻る。Ｓ５５では、変数Ｓｔｅｐ＿ｃｏｕｎｔｅｒ４０２に０をセットし、フラグＩｎｋ＿ｃｈｅｃｋ＿ｒｅｑ４０１に、ＯＦＦをセットし、Ｓ５６へ進む。
【００５８】
Ｓ５６では、ステータス情報Ｆｉｒｓｔ＿ｉｎｋ＿ｍｏｄｅ４０３の値が、ＤＩＳＰであるかどうかを判定し、ＤＩＳＰであれば、Ｓ５７へ進み、ＤＩＳＰでなければ、Ｓ４１へ戻る。Ｓ５７では、ステータス情報Ｆｉｒｓｔ＿ｉｎｋ＿ｍｏｄｅ４０３にＥＮＤをセットし、Ｓ４１へ戻る。
【００５９】
上記実施例は、加入者回線に接続され、インク交換機能を持ち、受信画像を印刷する印刷手段と、上記印刷手段が印刷する際におけるインク消費量を計測するインク消費量計測手段と、工場出荷時にセットする工場出荷フラグと、インク残量が、所定量よりも少なくなったことを通知する残量わずか通知手段と、上記インク消費量計測手段が計測し、記憶しているインク消費量を、０にクリアするインク消費量クリア手段と、上記残量わずか通知手段が、インク残量がわずかであることを通知したときに立てるわずか通知済みフラグとを有し、上記わずか通知手段は、上記工場出荷フラグが立っている場合、上記インク消費量計測手段が計測したインク消費量が、所定の第１の閾値を超えていれば、インクがわずかであることを通知し、一方、上記工場出荷フラグが立っていない場合、上記インク消費量計測手段が計測したインク消費量が、所定の第２の閾値を超えていれば、インクがわずかであることを通知し、上記インク消費量クリア手段がインク消費量をクリアするときに、上記わずか通知済みフラグが立っていれば、上記工場出荷フラグを落とすファクシミリ装置である。
【００６０】
この場合、上記印刷手段は、熱転写式の印刷手段であり、上記インクは、インクフィルムであり、上記インク消費量計測手段は、インクフィルムを駆動するモータのステップ数に基づいて、インク消費量を計測する手段である。
【図面の簡単な説明】
【００６１】
【図１】本発明の実施例１であるファクシミリ装置１００の構成を示すブロック図である。
【図２】ファクシミリ装置１００の表示部１０７における表示例を示す図である。
【図３】ファクシミリ装置１００の表示部１０７の表示例であり、装着されているインクフィルムの残量が残り少なくなった時にオペレータにインクフィルム残量がわずかしかないことを通知する表示である。
【図４】ファクシミリ装置１００のＦｌａｓｈ−ＲＡＭ１０４、Ｄ−ＲＡＭ１０３の内部に配置されている変数を示す図である。
【図５】ファクシミリ装置１００において、電源ＯＮ時の処理を示すフローチャートである。
【図６】ファクシミリ装置１００において、操作パネルを開閉したときの処理を示すフローチャートである。
【図７】ファクシミリ装置１００において、１ページ毎の記録動作中の処理を示すフローチャートである。
【図８】ファクシミリ装置１００において、工場出荷設定の処理を示すフローチャートである。
【図９】ファクシミリ装置１００におけるスタンバイ状態の処理を示すフローチャートである。
【符号の説明】
【００６２】
１００…ファクシミリ装置、
１０３…Ｄ−ＲＡＭ、
１０５…制御部、
１０６…操作部、
１０７…表示部、
１１０…プリンタ部、
１１１…読取部。
【図１】
2005125528.tif 000003
【図２】
2005125528.tif 000004
【図３】
2005125528.tif 000005
【図４】
2005125528.tif 000006
【図５】
2005125528.tif 000007
【図６】
2005125528.tif 000008
【図７】
2005125528.tif 000009
【図８】
2005125528.tif 000010
【図９】
2005125528.tif 000011